(57)【要約】      （修正有）【課題】予め設定変更対象の装置に関する情報を保持しておかなくても、梱包された設定変更対象の装置に対して設定変更を行うことを可能とする。【解決手段】ＢＬＥ送受信部４３は、梱包箱に梱包された状態で、装置の設定を変更する設定変更情報を、予め通信相手を特定する必要がない通信方式であるＢＬＥ通信により送受信する。制御部４２は、ＢＬＥ送受信部４３で受信した設定変更情報を、自装置と同梱された画像形成装置１０の設定変更情報として記憶部４１に記憶するように制御する。そして、設定変更対象とする画像形成装置１０に、ＢＬＥ装置１００を装着することにより、ＢＬＥ装置１００の記憶部４１に格納された設定変更情報に基づいて、画像形成装置１０の設定変更を行う。【選択図】図５
2019159521.tif 000002
【特許請求の範囲】
【請求項１】
バッテリと、前記バッテリの供給電力により動作し、装置の設定を変更する設定変更情報を、予め通信相手を特定する必要がない通信方式であるＢＬＥ通信により送受信する送受信手段と、前記送受信手段で受信した設定変更情報を記憶する記憶手段と、を有するＢＬＥ装置と、
前記ＢＬＥ装置が装置本体に脱着可能に接続されるよう構成され、前記記憶手段に記憶された設定変更情報により自装置の設定を変更する設定変更手段を有する情報処理装置と、
前記情報処理装置と前記ＢＬＥ装置を同梱する梱包手段と、
を有する梱包体。
【請求項２】
前記送受信手段は、ＢＬＥ通信を介した網目状ネットワーク機能を用いて、前記設定変更情報を網目状ネットワーク範囲内の他のＢＬＥ装置に送信する請求項１記載の梱包体。
【請求項３】
前記ＢＬＥ装置は、前記梱包手段に梱包された状態で、前記バッテリからの電力を供給するか否かを切り換える切換部をさらに有する請求項１又は２記載の梱包体。
【請求項４】
前記ＢＬＥ装置は、
前記送受信手段で受信した設定変更情報による設定変更を受け付けるか否かを判定するための属性情報を予め登録する登録手段と、
前記登録手段に登録されている属性情報が、前記送受信手段で受信した設定変更情報に含まれる属性情報と一致した場合に、前記送受信手段で受信した設定変更情報を前記ＢＬＥ装置と同梱された情報処理装置の設定変更情報として前記記憶手段に記憶するように制御する制御手段と、
をさらに有する請求項１から３のいずれか記載の梱包体。
【請求項５】
前記記憶手段は、前記ＢＬＥ装置と同梱された前記情報処理装置に関する情報を記憶する請求項１から３のいずれか記載の梱包体。
【請求項６】
前記ＢＬＥ装置は、
前記記憶手段に記憶されている情報処理装置に関する情報が、前記送受信手段で受信した設定変更情報に含まれる情報処理装置に関する情報と一致した場合に、前記送受信手段で受信した設定変更情報を前記ＢＬＥ装置と同梱された情報処理装置の設定変更情報として前記記憶手段に記憶するように制御する制御手段と、
をさらに有する請求項５記載の梱包体。
【請求項７】
情報を表示する表示手段と、
情報処理装置の設定変更情報の入力を受け付ける受付手段と、
前記受付手段で受け付けた設定変更情報を、予め通信相手を特定する必要がない通信方式であるＢＬＥ通信により前記情報処理装置と同梱されたＢＬＥ装置に送信する送信手段と、
前記ＢＬＥ装置からＢＬＥ通信により送信される送信の完了通知を受信する受信手段と、
前記受信手段により受信された送信の完了通知に基づいて、前記ＢＬＥ装置への送信の完了状態を前記表示手段に表示するよう制御する制御手段と、
を備えた端末装置。
【請求項８】
前記制御手段は、前記受信手段により受信されたＢＬＥ装置と同梱された情報処理装置に関する情報を前記表示手段に表示するよう制御する請求項７記載の端末装置。
【請求項９】
前記情報処理装置に関する情報は、制御プログラムのバージョン情報である請求項８記載の端末装置。
【請求項１０】
前記送信手段は、前記受付手段で受け付けた設定変更情報が制御プログラムの更新情報の場合に、ＢＬＥ通信により通信確立が行われた前記ＢＬＥ装置に対して、前記受付手段で受け付けた設定変更情報を、前記ＢＬＥ通信とは異なる他の無線通信により送信する請求項７から９のいずれか記載の端末装置。
【請求項１１】
前記制御手段は、自装置と前記受信手段により受信されたＢＬＥ装置と同梱された情報処理装置との位置関係を前記表示手段に表示するよう制御する請求項７記載の端末装置。
【発明の詳細な説明】
【技術分野】
【０００１】
本発明は、梱包体および端末装置に関する。
【背景技術】
【０００２】
特許文献１には、ソフトウェアを書換可能に保持する記憶部を備えたソフトウェア搭載装置において、内蔵電源と、前記内蔵電源によって駆動され、当該装置が電源ＯＦＦ状態でも外部端末との間で通信を行い、前記外部端末から送信されてくるソフトウェアを受信して記憶する通信記憶部と、を備えたことを特徴とするソフトウェア搭載装置が開示されている。
【先行技術文献】
【特許文献】
【０００３】
【特許文献１】特開２００５−３２１９９７号公報
【発明の概要】
【発明が解決しようとする課題】
【０００４】
本発明の目的は、予め設定変更対象の装置に関する情報を保持しておかなくても、梱包された設定変更対象の装置に対して設定変更を行うことが可能な梱包体および端末装置を提供することである。
【課題を解決するための手段】
【０００５】
［梱包体］
請求項１に係る本発明は、バッテリと、前記バッテリの供給電力により動作し、装置の設定を変更する設定変更情報を、予め通信相手を特定する必要がない通信方式であるＢＬＥ通信により送受信する送受信手段と、前記送受信手段で受信した設定変更情報を記憶する記憶手段と、を有するＢＬＥ装置と、
前記ＢＬＥ装置が装置本体に脱着可能に接続されるよう構成され、前記記憶手段に記憶された設定変更情報により自装置の設定を変更する設定変更手段を有する情報処理装置と、
前記情報処理装置と前記ＢＬＥ装置を同梱する梱包手段と、を有する梱包体である。
【０００６】
請求項２に係る本発明は、前記送受信手段は、ＢＬＥ通信を介した網目状ネットワーク機能を用いて、前記設定変更情報を網目状ネットワーク範囲内の他のＢＬＥ装置に送信する請求項１記載の梱包体である。
【０００７】
請求項３に係る本発明は、前記ＢＬＥ装置は、前記梱包手段に梱包された状態で、前記バッテリからの電力を供給するか否かを切り換える切換部をさらに有する請求項１又は２記載の梱包体である。
【０００８】
請求項４に係る本発明は、前記ＢＬＥ装置は、前記送受信手段で受信した設定変更情報による設定変更を受け付けるか否かを判定するための属性情報を予め登録する登録手段と、前記登録手段に登録されている属性情報が、前記送受信手段で受信した設定変更情報に含まれる属性情報と一致した場合に、前記送受信手段で受信した設定変更情報を前記ＢＬＥ装置と同梱された情報処理装置の設定変更情報として前記記憶手段に記憶するように制御する制御手段と、をさらに有する請求項１から３のいずれか記載の梱包体である。
【０００９】
請求項５に係る本発明は、前記記憶手段は、前記ＢＬＥ装置と同梱された前記情報処理装置に関する情報を記憶する請求項１から３のいずれか記載の梱包体である。
【００１０】
請求項６に係る本発明は、前記ＢＬＥ装置は、前記記憶手段に記憶されている情報処理装置に関する情報が、前記送受信手段で受信した設定変更情報に含まれる情報処理装置に関する情報と一致した場合に、前記送受信手段で受信した設定変更情報を前記ＢＬＥ装置と同梱された情報処理装置の設定変更情報として前記記憶手段に記憶するように制御する制御手段と、をさらに有する請求項５記載の梱包体である。
【００１１】
［端末装置］
請求項７に係る本発明は、情報を表示する表示手段と、
情報処理装置の設定変更情報の入力を受け付ける受付手段と、
前記受付手段で受け付けた設定変更情報を、予め通信相手を特定する必要がない通信方式であるＢＬＥ通信により前記情報処理装置と同梱されたＢＬＥ装置に送信する送信手段と、
前記ＢＬＥ装置からＢＬＥ通信により送信される送信の完了通知を受信する受信手段と、
前記受信手段により受信された送信の完了通知に基づいて、前記ＢＬＥ装置への送信の完了状態を前記表示手段に表示するよう制御する制御手段と、を備えた端末装置である。
【００１２】
請求項８に係る本発明は、前記制御手段は、前記受信手段により受信されたＢＬＥ装置と同梱された情報処理装置に関する情報を前記表示手段に表示するよう制御する請求項７記載の端末装置である。
【００１３】
請求項９に係る本発明は、前記情報処理装置に関する情報は、制御プログラムのバージョン情報である請求項８記載の端末装置である。
【００１４】
請求項１０に係る本発明は、前記送信手段は、前記受付手段で受け付けた設定変更情報が制御プログラムの更新情報の場合に、ＢＬＥ通信により通信確立が行われた前記ＢＬＥ装置に対して、前記受付手段で受け付けた設定変更情報を、前記ＢＬＥ通信とは異なる他の無線通信により送信する請求項７から９のいずれか記載の端末装置である。
【００１５】
請求項１１に係る本発明は、前記制御手段は、自装置と前記受信手段により受信されたＢＬＥ装置と同梱された情報処理装置との位置関係を前記表示手段に表示するよう制御する請求項７記載の端末装置である。
【発明の効果】
【００１６】
請求項１に係る本発明によれば、予め設定変更対象の装置に関する情報を保持しておかなくても、梱包された設定変更対象の装置に対して設定変更を行うことが可能な梱包体を提供することができる。
【００１７】
請求項２に係る本発明によれば、予め設定変更対象の装置に関する情報を保持しておかなくても、梱包された設定変更対象の装置に対して一斉に設定変更を行うことが可能な梱包体を提供することができる。
【００１８】
請求項３に係る本発明によれば、バッテリからの電力の供給を停止しないで供給し続ける場合と比較して、消費電力を少なくして、不要な情報の送出を防止することが可能な梱包体を提供することができる。
【００１９】
請求項４に係る本発明によれば、予め設定変更対象の装置に関する情報を保持しておかなくても、梱包された設定変更対象の装置に対して設定変更を行うことが可能な梱包体を提供することができる。
【００２０】
請求項５に係る本発明によれば、予め設定変更対象の装置に関する情報を保持しておかなくても、梱包された設定変更対象の装置に対して設定変更を行うことが可能な梱包体を提供することができる。
【００２１】
請求項６に係る本発明によれば、予め設定変更対象の装置に関する情報を保持しておかなくても、梱包された設定変更対象の装置に対して設定変更を行うことが可能な梱包体を提供することができる。
【００２２】
請求項７に係る本発明によれば、予め設定変更対象の装置に関する情報を保持しておかなくても、梱包された設定変更対象の装置から送信の完了状態を確認することが可能な端末装置を提供することができる。
【００２３】
請求項８に係る本発明によれば、予め設定変更対象の装置に関する情報を保持しておかなくても、同梱された情報処理装置に関する情報を確認することが可能な端末装置を提供することができる。
【００２４】
請求項９に係る本発明によれば、予め設定変更対象の装置に関する情報を保持しておかなくても、同梱された情報処理装置の制御プログラムのバージョン情報を確認することが可能な端末装置を提供することができる。
【００２５】
請求項１０に係る本発明によれば、ＢＬＥ通信により制御プログラムの更新情報を送信する場合と比較して、通信時間を短くすることが可能な端末装置を提供することができる。
【００２６】
請求項１１に係る本発明によれば、設定変更対象の装置がどの装置であるのかを、自装置との位置関係から把握することが可能な端末装置を提供することができる。
【図面の簡単な説明】
【００２７】
【図１】本発明の一実施形態における情報処理システムのシステム構成を示す図である。
【図２】（Ａ）は、本発明の一実施形態における梱包体１を説明する図であって、（Ｂ）は、本発明の一実施形態における梱包体１の外観を示す図である。
【図３】本発明の一実施形態における画像形成装置１０における動作を説明する図である。
【図４】本発明の一実施形態におけるＢＬＥ装置１００のハードウェア構成を示すブロック図である。
【図５】本発明の一実施形態におけるＢＬＥ装置１００の機能構成を示すブロック図である。
【図６】本発明の一実施形態における移動端末５０のハードウェア構成を示すブロック図である。
【図７】本発明の一実施形態における移動端末５０の機能構成を示すブロック図である。
【図８】倉庫内に並べられた梱包体１Ａ〜１Ｄに対して同じ内容の設定変更を実行しようとする際の動作を説明するための図である。
【図９】移動端末５０において表示される表示例を示す図である。
【図１０】移動端末５０において表示される表示例を示す図である。
【図１１】移動端末５０において表示される表示例を示す図である。
【図１２】倉庫内に並べられたグループＡの梱包体１Ａ〜１ＥおよびグループＢの梱包体１Ｆ〜１Ｉに対してそれぞれ別の内容の設定変更を実行しようとする際の動作を説明するための図である。
【図１３】移動端末５０において表示される表示例を示す図である。
【図１４】移動端末５０において表示される表示例を示す図である。
【発明を実施するための形態】
【００２８】
次に、本発明の実施の形態について図面を参照して詳細に説明する。
【００２９】
図１は本発明の一実施形態における情報処理システムのシステム構成を示す図である。
【００３０】
本発明の一実施形態における情報処理システムは、図１に示されるように、複数の梱包体１Ａ〜１Ｉと、スマートフォンやタブレット端末等の移動端末５０とが近距離無線通信規格であるブルートゥース（登録商標）の低消費電力の通信モードであるＢＬＥ（Bluetooth Low Energy）通信により相互に接続されている。具体的には、梱包手段としての梱包箱１０４にそれぞれ梱包されたＢＬＥ装置１００Ａ〜１００Ｉと、スマートフォンやタブレット端末等の移動端末５０とがＢＬＥ通信により相互に接続されている。
【００３１】
図１に示した情報処理システムでは、梱包体１Ａ〜１Ｉ（ＢＬＥ装置１００Ａ〜１００Ｉ）と移動端末５０は、ＢＬＥ通信によってそれぞれの装置間が接続されることによりメッシュ（網目状）ネットワークが構成されている。
【００３２】
このメッシュネットワーク技術とは、複数のノード間におけるデータのルーティング技術であり、メッシュネットワークは、一部のノードにおいて故障等の障害が発生して経路の一部が使用不能となった場合でも、他の経路を利用してノード間でデータの転送が行われるように構成されている。
【００３３】
なお、このようなメッシュネットワークを構築するために、連携する他の装置に関する情報を各装置間で保持しておく必要はない。単にメッシュネットワークを構築しているいずれかの装置との間でＢＬＥ通信が可能な範囲に、ＢＬＥ通信機能を備えた装置を移動させるだけで、その装置もメッシュネットワークに含まれることになり、他の装置とともにメッシュネットワークを構成することになる。
【００３４】
つまり、本発明の情報処理システムは、予め通信相手を特定する必要がない通信方式であるＢＬＥ通信を介したメッシュネットワークにより相互に接続された梱包体１Ａ〜１Ｉ（ＢＬＥ装置１００Ａ〜１００Ｉ）と、移動端末５０等の複数の装置により構成されている。
【００３５】
そして、このＢＬＥ通信には、アドバタイジング機能を用いた通信方式と、ＧＡＴＴ（Generic Attribute）等のプロファイルを用いた通信方式がある。
【００３６】
いずれの通信方式も予め通信相手を特定する必要がない通信方式であるが、アドバタイジング機能を用いた通信方式では、自装置から送信したデータをどの装置が受信しているのかを特定せずに、ビーコン通信のように単にデータを周囲に対して送信する通信方式である。これに対して、ＧＡＴＴ等のプロファイルを用いた通信方式は、周囲に存在する他の装置の存在を確認して、その他の装置のプロファイルを取得して、プロファイルを取得した装置との間で１対１のデータ送受信を行う通信方式である。
【００３７】
このようにアドバタイジング機能を用いたＢＬＥ通信は、他の装置の存在に関係なく単に他の装置から受信したデータを転送するだけで良いため処理が簡単となる。これに対して、ＧＡＴＴ等のプロファイルを用いた通信方式は、他の装置の存在を確認して通信を行うため、処理が複雑になる。ただし、ＧＡＴＴ等のプロファイルを用いた通信方式では、ある程度のデータ量の送受信が可能であるが、アドバタイジング機能を用いたＢＬＥ通信では、送受信できるデータ量は少なくなる。
【００３８】
ここで、市場に提供している商品や、倉庫で管理している商品に重大な欠陥等があって制御プログラムの更新等が必要となった場合に、梱包箱に梱包されている商品を一度開梱して、ソフトウェアの更新等の設定変更の作業を行わなければならない。
【００３９】
本実施形態の情報処理システムでは、梱包箱１０４内の商品にそれぞれＢＬＥ装置１００を同梱することにより、梱包状態での制御プログラムの更新等の設定変更を可能としている。
【００４０】
本実施形態の情報処理システムにおいて、梱包箱１０４を開梱しないで梱包箱１０４に梱包されたＢＬＥ装置１００Ａ〜１００Ｉを設定変更対象の装置として、ユーザが移動端末５０を親装置として直接操作して設定変更内容を入力し、その変更内容を設定変更情報としてＢＬＥ装置１００Ａ〜１００Ｉに送信する。そして、梱包箱１０４を開梱した後に、ユーザがこのＢＬＥ装置１００Ａ〜１００Ｉを画像形成装置１０Ａ〜１０Ｉに接続することにより、ＢＬＥ装置１００内部に記憶されていた設定変更情報により画像形成装置１０Ａ〜１０Ｉの設定変更を実行する。
【００４１】
例えば、ソフトウェアのアップデートや制御プログラムの更新等の設定変更を、梱包箱１０４に梱包された画像形成装置１０Ａ〜１０Ｉに対して同じ設定内容で設定しようとする場合を用いて説明する。梱包体１Ａ〜１Ｉ、画像形成装置１０Ａ〜１０Ｉ、ＢＬＥ装置１００Ａ〜１００Ｉは、いずれも同様の構成となっているため、以下において、それぞれ梱包体１、画像形成装置１０、ＢＬＥ１００として説明する。
【００４２】
図２（Ａ）は、本発明の一実施形態における梱包体１を説明する図であって、図２（Ｂ）は、本発明の一実施形態における梱包体１の外観を示す図である。
【００４３】
図２（Ａ）に示されているように、本実施形態における梱包体１は、画像形成装置１０と、この画像形成装置１０のＵＳＢポートに脱着可能に接続されるＢＬＥ装置１００と、梱包箱１０４とから構成され、画像形成装置１０とＢＬＥ装置１００が、梱包箱１０４内に同梱されている。
【００４４】
また、ＢＬＥ装置１００は、バッテリを内蔵し、バッテリからの電力供給を切り換える電源部１０２と、同梱された装置に関する情報を属性情報として登録する登録部１０５が設けられている。
【００４５】
また、図２（Ｂ）に示されているように、梱包箱１０４には、窓部１０３が形成されている。窓部１０３には、ＢＬＥ装置１００の電源部１０２が配置され、ＢＬＥ装置１００が梱包箱１０４に梱包された状態で、電源部１０２を押下することにより、バッテリからの電力供給を切り換え可能な構成となっている。つまり、ＢＬＥ装置１００は、梱包箱１０４内に、画像形成装置１００と同梱された状態で、電源部１０２を用いてバッテリからの電力を供給するか否かを切り換えることができるように構成されている。これにより、倉庫等に長期に保管するような場合や、ＢＬＥ通信が不要な場合には、電源をオフにすることにより、消費電力を抑えて、不要な電波の送出を防止することができる。
【００４６】
画像形成装置１０は、印刷（プリント）機能、スキャン機能、複写（コピー）機能、ファクシミリ機能等の複数の機能を有するいわゆる複合機と呼ばれる装置である。
【００４７】
本実施形態では、図３に示されているように、ユーザが梱包箱１０４を開梱してから、画像形成装置１０の不図示のＵＳＢポート等に、ＢＬＥ装置１００のＵＳＢ端子２６を接続することにより、ＢＬＥ装置１００に格納されている設定変更情報を用いて画像形成装置１０の設定変更等を行うことができる。
【００４８】
まず、本実施形態のＢＬＥ装置１００のハードウェア構成を図４に示す。
【００４９】
ＢＬＥ装置１００は、図４に示されるように、ＣＰＵ２１、メモリ２２、記憶装置２３、外部の装置等との間でデータの送信及び受信を行う通信インタフェース（ＩＦ）２４、バッテリ２５、ＵＳＢ端子２６等を有する。これらの構成要素は、制御バス２７を介して互いに接続されている。
【００５０】
ＣＰＵ２１は、メモリ２２または記憶装置２３に格納された制御プログラムに基づいて所定の処理を実行して、ＢＬＥ装置１００の動作を制御する。なお、本実施形態では、ＣＰＵ２１は、メモリ２２または記憶装置２３内に格納された制御プログラムを読み出して実行するものとして説明するが、当該プログラムを記憶媒体に格納してＣＰＵ２１に提供することも可能である。
【００５１】
図５は、上記の制御プログラムが実行されることにより実現されるＢＬＥ装置１００の機能構成を示すブロック図である。
【００５２】
本実施形態のＢＬＥ装置１００は、図５に示されるように、記憶部４１と、制御部４２と、ＢＬＥ送受信部４３と、切換部４４と、登録部１０５と、バッテリ２５と、接続部４５とを備えている。
【００５３】
ＢＬＥ送受信部４３は、バッテリ２５の供給電力により動作し、上記で説明したＢＬＥ通信を介して他装置との間でデータの送受信を行う。
【００５４】
具体的には、ＢＬＥ送受信部４３は、梱包箱１０４に梱包された状態で、装置の設定を変更する設定変更情報を、予め通信相手を特定する必要がない通信方式であるＢＬＥ通信により送受信する。
【００５５】
切換部４４は、電源部１０２の押下により、バッテリ２５からの電力を供給するか否かを切り換える。
【００５６】
登録部１０５は、押下によりインクリメントして属性情報を登録する。つまり、登録部１０５を押下することによりＢＬＥ送受信部４３で受信した設定変更情報による設定変更を受け付けるか否かを判定するための属性情報を予め登録する。例えば、登録部１０５を１回押下した場合には属性情報１として、２回押下した場合には属性情報２として登録する等、属性情報を登録することができる。
【００５７】
記憶部４１は、登録部１０５で登録された属性情報を記憶する。また、記憶部４１は、梱包箱１０４に同梱された画像形成装置１０に関する情報であって、例えば制御プログラムのバージョン情報や、画像形成装置１０の色等の情報を記憶する。
【００５８】
そして、制御部４２は、ＢＬＥ送受信部４３で受信した設定変更情報を、自装置と同梱された画像形成装置１０の設定変更情報として記憶部４１に記憶するように制御する。
【００５９】
また、制御部４２は、ＢＬＥ送受信部４３で受信した設定変更情報に属性情報が含まれている場合には、記憶部４１に記憶されている属性情報が、ＢＬＥ送受信部４３で受信した設定変更情報に含まれる属性情報と一致した場合に、ＢＬＥ送受信部４３で受信した設定変更情報をこのＢＬＥ装置１００と同梱された画像形成装置１０の設定変更情報として記憶部４１に記憶するように制御する。
【００６０】
また、ＢＬＥ送受信部４３は、他装置からＢＬＥ通信により設定変更情報を受信した場合に、受信通知を他装置に送信する。
【００６１】
接続部４５は、例えばＵＳＢ端子２６であって、画像形成装置１０のＵＳＢポート等に装着される。
【００６２】
すなわち、梱包箱１０４から開梱後に、設定変更対象とする画像形成装置１０のＵＳＢポートに、ＢＬＥ装置１００のＵＳＢ端子２６を装着することにより、ＢＬＥ装置１００の記憶部４１に格納された設定変更情報に基づいて、画像形成装置１０の設定変更を行うことができる。
【００６３】
次に、本実施形態の移動端末５０のハードウェア構成を図６に示す。
【００６４】
移動端末５０は、図６に示されるように、ＣＰＵ６１、メモリ６２、ハードディスクドライブ（ＨＤＤ）等の記憶装置６３、外部の装置等との間でデータの送信及び受信を行う通信インタフェース（ＩＦ）６４、タッチパネル又は液晶ディスプレイ等のユーザインタフェース（ＵＩ）装置６５を有する。これらの構成要素は、制御バス６６を介して互いに接続されている。
【００６５】
ＣＰＵ６１は、メモリ６２または記憶装置６３に格納された制御プログラムに基づいて所定の処理を実行して、移動端末５０の動作を制御する。なお、本実施形態では、ＣＰＵ６１は、メモリ６２または記憶装置６３内に格納された制御プログラムを読み出して実行するものとして説明するが、当該プログラムを記憶媒体に格納してＣＰＵ６１に提供することも可能である。
【００６６】
図７は、上記の制御プログラムが実行されることにより実現される移動端末５０の機能構成を示すブロック図である。
【００６７】
本実施形態の移動端末５０は、図７に示されるように、表示部７１と、制御部７２と、ＢＬＥ送受信部７３と、操作受付部７４と、ＷｉＧｉｇ通信部７５とを備えている。
【００６８】
表示部７１は、制御部７２により制御され、ユーザに各種情報を表示する。操作受付部７４は、ユーザにより行われた各種操作情報を受け付ける。なお、この表示部７１と操作受付部７４とからいわゆるタッチパネルが構成される。
【００６９】
また、操作受付部７４は、ＢＬＥ装置１００に画像形成装置１０の設定を変更する設定変更情報の入力を受け付ける。また、操作受付部７４は、この操作受付部７４で受け付けた設定変更情報に、設定変更対象とする画像形成装置１０を識別するための属性情報を含めることができる。
【００７０】
ＢＬＥ送受信部７３は、上記で説明したＢＬＥ通信を介して他装置との間でデータの送受信を行う。
【００７１】
具体的には、ＢＬＥ送受信部７３は、操作受付部７４で受け付けた設定変更情報を、予め通信相手を特定する必要がない通信方式であるＢＬＥ通信によりＢＬＥ装置１００等に送信する。また、ＢＬＥ送受信部７３は、操作受付部７４で受け付けた設定変更情報に、ＢＬＥ装置１００に同梱された設定変更対象である画像形成装置１０を識別するための属性情報を含めて、ＢＬＥ通信によりＢＬＥ装置１００等に送信することができる。
【００７２】
ＷｉＧｉｇ通信部７５は、ＢＬＥ送受信部７３とは異なる無線通信手段の例であり、設定変更情報が制御プログラムの更新情報等の場合に、ＷｉＧｉｇ（登録商標）と呼ばれるミリ波高速無線通信を利用して設定変更情報をＢＬＥ装置１００に送信する。
【００７３】
このＷｉＧｉｇ（Wireless Gigabit）は、ＩＥＥＥ８０２．１１ａｄで規格化された短距離の高速デジタル通信であり、周波数６０ギガヘルツのミリ波の電波を利用し、通信速度は最大７Ｇｂｐｓと高速である。また、電波指向性が強いので、電波指向性の低い従来のＩＥＥＥ８０２．１１規格の無線通信等を用いた場合に比べ、送信を行いたい限られた範囲にだけ送信を行うことが可能となる。また、ＷｉＧｉｇは高速転送が可能であるため、従来のＩＥＥＥ８０２．１１規格の無線通信等に比べ、多くの情報を迅速に送信することができる。
【００７４】
つまり、操作受付部７４で受け付けた設定変更情報が制御プログラムの更新情報等のように大容量で通信時間がかかるような場合に、ＢＬＥ送受信部７３により通信確立が行われたＢＬＥ装置１００に対して、操作受付部７４で受け付けた設定変更情報を、ＩＥＥＥ８０２．１１ａｄで規格されたＷｉＧｉｇ通信部７５により送信する。
【００７５】
また、ＢＬＥ送受信部７３は、ＢＬＥ通信により送信された設定変更情報を受信したＢＬＥ装置１００から設定変更対象の装置である旨の通知を受信する。
【００７６】
そして、制御部７２は、ＢＬＥ送受信部７３により受信された設定変更対象の装置である旨の通知に基づいて、梱包箱１０４に同梱された画像形成装置１０が設定変更の対象である旨を表示部７１に表示するよう制御する。
【００７７】
また、制御部７２は、ＢＬＥ送受信部７３により受信されたＢＬＥ装置１００と同梱された画像形成装置１０に関する情報を表示部７１に表示するよう制御する。
【００７８】
また、ＢＬＥ送受信部７３は、梱包箱１０４に梱包されたＢＬＥ装置１００からＢＬＥ通信により送信される設定変更情報の送信の完了通知を受信する。
【００７９】
そして、制御部７２は、ＢＬＥ送受信部７３により受信された送信の完了通知に基づいて、ＢＬＥ装置１００への送信の完了状態を表示部７１に表示するよう制御する。
【００８０】
また、制御部７２は、自装置とＢＬＥ送受信部７３により受信されたＢＬＥ装置１００と同梱された画像形成装置１０との位置関係を表示部７１に表示するよう制御する。
【００８１】
次に、本実施形態の情報処理システムにおける動作について図面を参照して詳細に説明する。
【００８２】
図８には、倉庫内に並べられた複数の梱包体１Ａ〜１Ｄが示され、梱包箱１０４内の画像形成装置１０と同梱されたＢＬＥ装置１００Ａ〜１００Ｄに対して同じ内容の設定変更情報を送信しようとする際の様子を示す図である。以下の説明では、移動端末５０を親装置として、ユーザが直接操作を行って各種設定を行い、その設定内容を設定変更対象である画像形成装置１０Ａ〜１０Ｄとそれぞれ同梱されたＢＬＥ装置１００Ａ〜１００Ｄに対して送信する場合を用いて説明する。
【００８３】
例えば、移動端末５０においてユーザが設定内容を変更するための制御プログラムのバージョン情報を入力する。
【００８４】
そして、移動端末５０から送信された制御プログラムのバージョン情報は、梱包箱１０４に梱包されたＢＬＥ装置１００Ａ〜１００Ｄに次々と伝播される。つまり、各ＢＬＥ装置１００Ａ〜１００Ｄにそれぞれメッシュ機能を持たせることでメッシュ範囲内のＢＬＥ装置１００Ａ〜１００Ｄに次々に設定変更情報が送信され、記憶部４１に記憶される。つまり、移動端末５０からＢＬＥ通信を介して倉庫内のＢＬＥ装置１００Ａ〜１００Ｄへ設定変更情報が一斉に送信される。
【００８５】
すると、移動端末５０では、ＢＬＥ装置１００Ａ〜１００Ｄにより送信された設定変更対象の装置であることの通知をＢＬＥ装置１００Ｄ〜１００Ａを経由して受信する。そして、設定変更対象の装置であることの通知を受信したことにより各ＢＬＥ装置１００Ａ〜１００Ｄと同梱された画像形成装置１０Ａ〜１０Ｄがそれぞれ設定変更対象の装置であることを把握して、例えば、ＵＩ装置６５上に図９に示すような表示を行う。図９に示した表示例では、各ＢＬＥ装置１００Ａ〜１００Ｄと同梱された装置Ａ〜装置Ｄ（画像形成装置１０Ａ〜１０Ｄ）が設定変更対象である旨がＵＩ装置６５上に表示されている。そして、移動端末５０のＵＩ装置６５上において、例えば「一括してアップデートする」が選択されることにより、設定変更対象であるＢＬＥ装置１００Ａ〜１００Ｄでは、移動端末５０から受信した設定変更情報が記憶部４１に記憶される。
【００８６】
そして、ＢＬＥ装置１００Ａ〜１００Ｄでは、自装置における設定変更情報の送信処理が完了すると、その旨を通知するための送信完了通知をＢＬＥ通信により移動端末５０に送信する。
【００８７】
すると、移動端末５０では、設定変更対象であるＢＬＥ装置１００Ａ〜１００Ｄにより送信された送信完了通知を他のＢＬＥ装置１００を経由して受信する。そして、送信完了通知を受信したことによりＢＬＥ装置１００において設定変更情報の送信が無事に完了したことを把握して、図１０に示すような設定変更情報の送信が完了した旨の表示がＵＩ装置６５上に表示される。
【００８８】
ユーザは、このような表示を参照することにより、移動端末５０において行った設定変更内容が、梱包箱１０４に梱包されたＢＬＥ装置１００Ａ〜１００Ｄに対しても送信されたことを知ることができる。
【００８９】
また、移動端末５０では、ＢＬＥ装置１００Ａ〜１００Ｄにより送信された各ＢＬＥ装置１００と同梱された画像形成装置１０に関する情報であって、例えば、図１１に示さるように、倉庫や店舗等に保管された梱包箱１０４に梱包された装置Ａ〜Ｕ（画像形成装置１０Ａ〜１０Ｕ）のバージョン情報や、装置の色や、装置の色毎の在庫数や、倉庫や店舗に保管された装置の在庫数等がリアルタイムに表示される。つまり、移動端末５０は、ＢＬＥ通信により倉庫等に保管された梱包箱１０４に梱包されたＢＬＥ装置１００Ａ〜１００Ｕから同梱された画像形成装置１０Ａ〜１０Ｕに関する情報を受信して表示することができる。つまり、梱包箱１０４に梱包された状態で、倉庫内の装置のバージョン情報、種類、色、商品の在庫数等をリアルタイムに確認することができる。
【００９０】
なお、上述したように、移動端末５０において受け付けた設定変更情報が制御プログラムの更新情報等のように大容量で通信時間がかかるような場合には、ＢＬＥ通信により通信確立が行われたＢＬＥ装置１００に対して、それぞれ設定変更情報をＷｉＧｉｇ通信等のＢＬＥ通信とは異なり、通信速度がより高速な他の無線通信により送信するようにしてもよい。
【００９１】
次に、設定変更対象が複数種類ある場合の動作について説明する。
【００９２】
図１２は、倉庫内に並べられた複数の梱包体１Ａ〜１Ｉのうち特定の梱包体１Ａ〜１Ｅ（設定変更対象１）に対して、ある変更内容の設定変更１を実行し、特定の梱包体１Ｆ〜１Ｉ（設定変更対象２）に対して別の変更内容の設定変更２を実行しようとする際の様子を説明するための図である。
【００９３】
具体的には、梱包体１Ａ〜１Ｅの梱包箱１０４に梱包された画像形成装置１０Ａ〜１０Ｅはある機種（グループＡ）であって、同梱されるＢＬＥ装置１００Ａ〜１００Ｅには、登録部１０５により属性情報１が予め登録されて同梱されている。また、梱包体１Ｆ〜１Ｉの梱包箱１０４に梱包された画像形成装置１０Ｆ〜１０Ｉは別の機種（グループＢ）であって、同梱されるＢＬＥ装置１００Ｆ〜１００Ｉには、登録部１０５により属性情報２が予め登録されて同梱されている。
【００９４】
この場合には、移動端末５０において、例えば濃度設定の変更を実行する設定変更１の設定変更情報に、設定変更対象１である画像形成装置１０Ａ〜１０Ｅを識別するための属性情報１を含めてＢＬＥ通信により送信する。また、例えば節電モードに移行するための時間の変更を実行する設定変更２の設定変更情報に、設定変更対象２である画像形成装置１０Ｆ〜１０Ｉを識別するための属性情報２を含めてＢＬＥ通信により送信する。
【００９５】
すると、属性情報１が登録されたＢＬＥ装置１００Ａ〜１００Ｅには、設定変更１の濃度設定の変更に関する設定変更情報が記憶部４１に記憶され、属性情報２が登録されたＢＬＥ装置１００Ｆ〜１００Ｉには、設定変更２の節電モードに移行するための時間変更に関する設定変更情報が記憶部４１に記憶される。
【００９６】
つまり、メッシュネットワークに含まれるＢＬＥ装置１００に対して同内容の設定変更を実行することに限らず、一部の装置に対して別の設定変更を実行したい場合もあり得る。例えば、ある機種名の装置に対してのみ設定変更を行いたい場合や、納入するユーザ毎に異なる設定変更を行いたい場合等の特定の装置に対してのみ設定変更を行いたい場合がある。
【００９７】
つまり、梱包箱１０４から開梱されて、画像形成装置１０にそれぞれ同梱されたＢＬＥ装置１００が装着された場合に、属性情報が一致するＢＬＥ装置１００が装着された画像形成装置１０において、記憶部４１に記憶された設定変更情報に基づいて同一内容の設定変更が実行されることとなる。
【００９８】
なお、メッシュネットワークに含まれる一部の装置に対してのみ設定変更する場合に、予めＢＬＥ装置１００に属性情報を登録して、移動端末５０からＢＬＥ通信により送信する設定変更情報に属性情報を含めて送信する場合のほか、設定変更対象でない画像形成装置１０と同梱されるＢＬＥ装置１００の電源部１０２をオフにして設定変更情報を受信できないようにし、設定変更対象の画像形成装置１０と同梱されるＢＬＥ装置１００のみ電源部１０２をオンにして設定変更情報を受信できるようにしてもよい。また、設定変更対象でない画像形成装置１０を梱包する梱包体１をメッシュネットワークに含まれない位置に配置するようにしてもよい。
【００９９】
このように、設定変更対象となる画像形成装置１０を梱包した梱包箱１０４を開梱せずに一斉に同機種の改修の作業等を行えるようになる。
【０１００】
また、ＢＬＥ装置１００を用いるため省電力化が望め、梱包箱１０４に梱包された状態で、バッテリからの電力供給の切換が可能となっているため、更なる電力低減を可能とする。
【０１０１】
このように、ＢＬＥ装置１００を画像形成装置１０と梱包箱１０４に同梱し、開梱後にＢＬＥ装置１００を画像形成装置１０に接続するように構成することにより、１つのＢＬＥ装置１００を用いて、複数の画像形成装置１０に利用することが可能となる。また、ＢＬＥ装置１００が画像形成装置本体に接続された際に読み込む方式をとる部分の拡張のみですみ、基板の改版が不要となる。
【０１０２】
次に、このようにして移動端末５０において表示される表示例を図１３及び図１４に示す。
【０１０３】
図１３に示された表示例では、梱包箱１０４に梱包された装置Ａ〜Ｃ（画像形成装置１０Ａ〜１０Ｃ）が設定変更対象の装置であるか否かと、端末装置Ａ〜Ｃと移動端末５０との位置関係が表示されている。なお、図１３において移動端末５０の位置は、人物の外形を示した表示により示されている。そして、図１３では、装置Ａ、Ｃは設定変更対象の装置であるが、装置Ｂは設定変更対象の装置でないことが示されている。
【０１０４】
図１４に示された表示例では、梱包箱１０４に梱包された装置Ａ〜Ｃ（画像形成装置１０Ａ〜１０Ｃ）に対する設定変更情報の送信状態と、端末装置Ａ〜Ｃと移動端末５０との位置関係が表示されている。そして、図１４では、装置Ａ、Ｃにおける設定変更情報の送信は無事完了しているが、装置Ｂにおける設定変更情報の送信は何等かの理由により完了していないことが示されている。
【０１０５】
[変形例]
上記実施形態では、設定変更対象の装置が主に画像形成装置の場合を用いて説明したが、本発明はこれに限定されるものではなく、設定変更対象の装置がパソコン、携帯電話装置、タブレット端末装置、テレビ、カメラ等の各種情報処理装置の場合であっても同様に本発明を適用することができるものである。また、親装置が移動端末の場合を用いて説明したが、本発明はこれに限定されるものではなく、設定変更する親装置が画像形成装置、パソコン、テレビ等の各種情報処理装置の場合であっても同様に本発明を適用することができるものである。
【０１０６】
また、上記実施形態では、梱包箱１０４内に、画像形成装置１０とＢＬＥ装置１００を同梱する構成を用いて説明したが、本発明はこれに限定されるものではなく、梱包箱１０４内に、ＢＬＥ装置１００が内蔵された画像形成装置１０を梱包する構成、梱包箱１０４内に、ＢＬＥ装置１００が接続された画像形成装置１０を梱包する構成等にも同様に本発明を適用することができるものである。
【０１０７】
また、上記実施形態では、梱包箱１０４内に、画像形成装置１０とＢＬＥ装置１００を同梱する構成を用いて説明したが、本発明はこれに限定されるものではなく、画像形成装置１０が梱包された梱包箱１０４にＢＬＥ装置１００を貼付しているような構成等にも同様に本発明を適用することができるものである。
【０１０８】
また、上記実施形態では、梱包箱１０４に窓部１０３を形成し、梱包箱１０４に梱包された状態で、ＢＬＥ装置１００の電源部１０２を押下する構成について説明したが、本発明はこれに限定されるものではなく、窓部１０３を形成しない梱包箱１０４や、電源部１０２を設けないＢＬＥ装置１００等にも同様に本発明を適用することができるものである。
【符号の説明】
【０１０９】
１      梱包体
１０    画像形成装置
２１    ＣＰＵ
２２    メモリ
２３    記憶装置
２４    通信インタフェース（ＩＦ）
２５    バッテリ
２６    ＵＳＢ端子
４１    記憶部
４２    制御部
４３    ＢＬＥ送受信部
４４    切換部
４５    接続部
１００  ＢＬＥ装置
１０２  電源部
１０４  梱包箱
１０５  登録部
【図１】
2019159521.tif 000003
【図２】
2019159521.tif 000004
【図３】
2019159521.tif 000005
【図４】
2019159521.tif 000006
【図５】
2019159521.tif 000007
【図６】
2019159521.tif 000008
【図７】
2019159521.tif 000009
【図８】
2019159521.tif 000010
【図９】
2019159521.tif 000011
【図１０】
2019159521.tif 000012
【図１１】
2019159521.tif 000013
【図１２】
2019159521.tif 000014
【図１３】
2019159521.tif 000015
【図１４】
2019159521.tif 000016